(57)【要約】【課題】基材密着性、撥インク性およびその持続性に優れ、さらには現像性に優れた隔壁形成用ネガ型感光性樹脂組成物及び隔壁を提供する。【解決手段】酸性基および分子内に３個以上のエチレン性二重結合を有するアルカリ可溶の感光性樹脂（Ａ）と、水素原子の少なくとも１つがフッ素原子に置換された炭素数２０以下のアルキル基（ただし、前記アルキル基はエーテル性の酸素を有するものを含む。）を有する重合単位（ｂ１）、およびエチレン性二重結合を有する重合単位（ｂ２）を有する重合体からなる撥インク剤（Ｂ）と、光重合開始剤（Ｃ）とを含有する隔壁形成用ネガ型感光性樹脂組成物を用いて隔壁を形成する。ただし、撥インク剤（Ｂ）におけるフッ素含有量は、５〜２５質量％であり、撥インク剤（Ｂ）の隔壁形成用ネガ型感光性樹脂組成物の全固形分における割合は、０．０１〜２０質量％である。【選択図】なし【特許請求の範囲】
【請求項１】
配線パターンの製造に用いられる隔壁形成用ネガ型感光性樹脂組成物であって、
酸性基および分子内に３個以上のエチレン性二重結合を有するアルカリ可溶の感光性樹脂（Ａ）と、水素原子の少なくとも１つがフッ素原子に置換された炭素数２０以下のアルキル基（ただし、前記アルキル基はエーテル性の酸素を有するものを含む。）を有する重合単位（ｂ１）、およびエチレン性二重結合を有する重合単位（ｂ２）を有する重合体からなる撥インク剤（Ｂ）と、光重合開始剤（Ｃ）とを含有することを特徴とする隔壁形成用ネガ型感光性樹脂組成物。ただし、撥インク剤（Ｂ）におけるフッ素含有量は、５〜２５質量％であり、撥インク剤（Ｂ）の隔壁形成用ネガ型感光性樹脂組成物の全固形分における割合は、０．０１〜２０質量％である。
【請求項２】
前記感光性樹脂（Ａ）１００質量部に対し、前記撥インク剤（Ｂ）を０．１〜２００質量部、前記光重合開始剤（Ｃ）を０．１〜５０質量部含有する請求項１記載の隔壁形成用ネガ型感光性樹脂組成物。
【請求項３】
前記撥インク剤（Ｂ）が、酸性基を有する請求項１または２に記載の隔壁形成用ネガ型感光性樹脂組成物。
【請求項４】
前記感光性樹脂（Ａ）１００質量部に対し、２個以上のエチレン性二重結合を有するアルカリ不溶の化合物からなるラジカル架橋剤（Ｄ）を１０〜５００質量部を含有する請求項１〜３のいずれか１つに記載の隔壁形成用ネガ型感光性樹脂組成物。
【請求項５】
カーボンブラック、チタンブラック、黒色金属酸化物顔料、および有機顔料からなる群から選択される少なくとも１種を含有する請求項１〜４のいずれか１つに記載の隔壁形成用ネガ型感光性樹脂組成物。
【請求項６】
前記撥インク剤（Ｂ）の数平均分子量が、５００以上１５０００未満である請求項１〜５のいずれか１つに記載の隔壁形成用ネガ型感光性樹脂組成物。
【請求項７】
得られる隔壁の水の接触角が９０度以上である請求項１〜６のいずれか１つに記載の隔壁形成用ネガ型感光性樹脂組成物。
【請求項８】
得られる隔壁のキシレンの接触角が３０度以上である請求項１〜７のいずれか１つに記載の隔壁形成用ネガ型感光性樹脂組成物。
【発明の詳細な説明】
【技術分野】
【０００１】
本発明は、配線パターンの製造に用いられる隔壁形成用ネガ型感光性樹脂組成物に関する。
【背景技術】
【０００２】
従来より、半導体集積回路（ＩＣ）、液晶ディスプレイ（ＬＣＤ）用薄膜トランジスタ（ＴＦＴ）回路等の回路製造用のマスクを作成するために感光性樹脂組成物が用いられており、より微細なパターン構造を形成することのできる感光性樹脂組成物が要求されている。
【０００３】
一方、感光性樹脂組成物は、ＬＣＤ、有機ＥＬディスプレイ等のＩＴＯ電極形成用のためのレジスト材料や層間絶縁膜、回路保護膜、カラーフィルタ用隔壁材、有機ＥＬディスプレイ用隔壁材等の永久膜形成材料としても注目されている。例えば、液晶カラーフィルタの製造においては、微小画素内にインクを噴射塗布するインクジェット法が提案されており、感光性樹脂組成物を画素パターンの隔壁として形成することが行なわれている。
【０００４】
この場合、隔壁となる感光性樹脂組成物は永久膜形成材料として用いられるため、基材との密着性が要求される。また、隣り合う画素領域間におけるインクの混色等が起こるのを防止するために、水やキシレン等のインク溶剤に対する撥溶剤性である、いわゆる撥インク性が要求されている。
【０００５】
このような、撥インク性を有する感光性樹脂組成物として、例えば、特許文献１には、ヘキサフルオロプロピレン、不飽和カルボン酸および／または不飽和カルボン酸無水物およびこれらの成分と共重合可能な不飽和化合物との含フッ素共重合体、放射線の照射を受けて酸を発生する酸発生化合物、架橋性化合物、前記含フッ素共重合体以外の含フッ素有機化合物、並びに有機溶媒からなる、カラーフィルタ隔壁形成用感放射線性樹脂組成物が開示されており、前記含フッ素有機化合物としてパーフルオロアルキル基と親油性基含有オリゴマーが例示されている。
【０００６】
また、特許文献２には、電子線又はＸ線の照射により、酸及び／又はラジカル種を発生する化合物、酸及び／又はラジカルにより重合可能な不飽和結合を少なくとも１個有する水不溶でアルカリ水溶液に可溶な樹脂、酸の作用により前記樹脂と架橋を生じる架橋剤、及び、フッ素系及び／又はシリコン系界面活性剤を含有することを特徴とする電子線又はＸ線用ネガ型レジスト組成物が開示されている。
【０００７】
さらに、特許文献３には、低誘電率樹脂組成物として、フッ素原子及びエチレン性二重結合を有する単量体とエポキシ基及びエチレン性二重結合を有する単量体から成る共重合体、１分子中にエチレン性二重結合及びカルボキシル基を１つずつ有する化合物、任意成分として飽和モノカルボン酸との反応物と、必要に応じて多塩基酸無水物を反応させた不飽和基含有樹脂、希釈剤及び光重合開始剤を含むことを特徴とする感光性樹脂組成物が開示されており、トリフルオロエチルメタクリレート、グリシジルメタクリレートからなる共重合体と、アクリル酸とを反応させた後、次いで無水コハク酸を反応させた不飽和基含有樹脂が例示されている。
【０００８】
さらに、特許文献４には、炭素数３〜２０のパーフルオロアルキル基含有α、β−不飽和単量体と、ポリシロキサン鎖含有α、β−不飽和単量体と、パーフルオロアルキル基不含かつポリシロキサン鎖不含の水酸基含有α、β−不飽和単量体とを必須成分として反応させて得られる重合体の水酸基に、イソシアネート基及びアクリロイル基又はメタクリロイル基含有単量体のイソシアネート基を付加反応させた構造のアクリロイル基又はメタクリロイル基を有する共重合体と、分子中にアクリロイル基、メタクリロイル基又はビニル基のいずれかの基を１種または２種以上含有する炭化水素系モノマーを含有してなる被覆剤が開示されている。
【先行技術文献】
【特許文献】
【０００９】
【特許文献１】特開平１１−２８１８１５号公報（請求項１）
【特許文献２】特開２００２−６４９１号公報（請求項１）
【特許文献３】特開２００１−２５３９２８号公報（請求項１、２）
【特許文献４】特開平８−１７６５０４号公報（請求項１）
【発明の概要】
【発明が解決しようとする課題】
【００１０】
しかし、上記の特許文献１、２における樹脂組成物においては、例示の撥インク性成分である含フッ素有機化合物や、フッ素系及び／又はシリコン系界面活性剤にエチレン性二重結合が含まれていない。このため、ラジカル硬化型組成物に上記含フッ素化合物を適用すると、撥インク成分の硬化が不充分で撥インク性の持続性が不充分であった。
【００１１】
また、特許文献３における不飽和基含有樹脂は、低誘電率化を目的とするものであり、例示の化合物では撥インク性が不充分であった。また、この感光性樹脂組成物においては、フッ素原子を含むアルカリ可溶性樹脂を使用しているため、基材密着性が不充分であった。さらに、該感光性樹脂組成物は、現像性が不充分であって、微細なパターン形成が困難であった。
【００１２】
また、特許文献４に記載の被覆剤における炭化水素モノマーは、露光部分と未露光部分とのアルカリ溶解度に差がつきにくく、微細なパターン形成が困難であった。
【００１３】
よって、本発明の目的は、基材密着性、撥インク性およびその持続性に優れ、さらには現像性に優れた、配線パターンの製造に用いられる隔壁を形成できる隔壁形成用ネガ型感光性樹脂組成物を提供することにある。
【課題を解決するための手段】
【００１４】
本発明は、配線パターンの製造に用いられる隔壁形成用ネガ型感光性樹脂組成物であって、酸性基および分子内に３個以上のエチレン性二重結合を有するアルカリ可溶の感光性樹脂（Ａ）と、水素原子の少なくとも１つがフッ素原子に置換された炭素数２０以下のアルキル基（ただし、前記アルキル基はエーテル性の酸素を有するものを含む。）（以下、本フルオロアルキル基という。）を有する重合単位（ｂ１）、およびエチレン性二重結合を有する重合単位（ｂ２）を有する重合体からなる撥インク剤（Ｂ）と、光重合開始剤（Ｃ）とを含有し、撥インク剤（Ｂ）におけるフッ素含有量は、５〜２５質量％であり、撥インク剤（Ｂ）の隔壁形成用ネガ型感光性樹脂組成物の全固形分における割合は、０．０１〜２０質量％であることを特徴とする隔壁形成用ネガ型感光性樹脂組成物を提供する。
【００１５】
本発明によれば、撥インク剤（Ｂ）における本フルオロアルキル基が撥インク性を付与するが、この本フルオロアルキル基が表面移行性を有しているので、プリベークの際に撥インク剤（Ｂ）は塗膜表面近傍に移行する。したがって、少量の撥インク剤（Ｂ）の添加であっても、プリベーク時には、塗膜表面に充分な撥インク性を付与できる。
また、撥インク剤（Ｂ）がエチレン性二重結合を有しており、光照射で硬化するので、この硬化によって、撥インク性の持続性が高くなる。
さらに、プリベークの際に撥インク剤（Ｂ）が塗膜表面近傍に移行することによって、基材付近の撥インク剤（Ｂ）の濃度が相対的に減少するので、本フルオロアルキル基による基材密着性の低下を防止できる。
また、撥インク剤（Ｂ）におけるフッ素含有量および撥インク剤（Ｂ）のネガ型感光性樹脂組成物の全固形分における割合が上記範囲であることにより、撥インク性、基材密着性に優れる。
アルカリ可溶の感光性樹脂（Ａ）は、分子内に３個以上のエチレン性二重結合を有するため、露光部分と未露光部分とのアルカリ溶解度に差がつきやすく、現像性に優れ、より少ない露光量での微細なパターン形成が可能となる。
【００１６】
本発明の隔壁形成用ネガ型感光性樹脂組成物は、前記感光性樹脂（Ａ）１００質量部に対し、前記撥インク剤（Ｂ）を０．１〜２００質量部、前記光重合開始剤（Ｃ）を０．１〜５０質量部含有することが好ましい。撥インク剤（Ｂ）の配合量がこの範囲であると、アルカリ溶解性、現像性、撥インク性および基材密着性が良好である。
【００１７】
本発明の隔壁形成用ネガ型感光性樹脂組成物は、前記撥インク剤（Ｂ）が、酸性基を有することが好ましい。この態様によれば、現像性が良好になるので、より微細なパターン形成が可能となる。
【００１８】
本発明の隔壁形成用ネガ型感光性樹脂組成物は、前記感光性樹脂（Ａ）１００質量部に対し、２個以上のエチレン性二重結合を有するアルカリ不溶の化合物からなるラジカル架橋剤（Ｄ）を１０〜５００質量部を含有することが好ましい。この態様によれば、光照射による硬化を促進し、より短時間での硬化が可能となる。
【００１９】
本発明の隔壁形成用ネガ型感光性樹脂組成物は、カーボンブラック、チタンブラック、黒色金属酸化物顔料、及び有機顔料からなる群から選択される少なくとも１種を含有することが好ましい。この態様によれば、遮光性を示すのでブラックマトリックス等の遮光用塗膜として使用できる。
【００２０】
本発明の隔壁形成用ネガ型感光性樹脂組成物は、前記撥インク剤（Ｂ）の数平均分子量が、５００以上１５０００未満であることが好ましい。
【００２１】
本発明の隔壁形成用ネガ型感光性樹脂組成物は、得られる隔壁の水の接触角が９０度以上であることが好ましい。
【００２２】
本発明の隔壁形成用ネガ型感光性樹脂組成物は、得られる隔壁のキシレンの接触角が３０度以上であることが好ましい。
【発明の効果】
【００２３】
本発明のネガ型感光性樹脂組成物から得られる塗膜は、洗浄工程を経ても撥インク性が良好であり、優れた撥インク性とその持続性、アルカリ溶解性、現像性を得ることができ、更に、基材密着性に優れる。
【発明を実施するための形態】
【００２４】
以下の具体的化合物名において、（メタ）アクリレートと記載されたものは、アクリレートまたはメタクリレートを意味する。同様に、（メタ）アクリル酸は、アクリル酸またはメタクリル酸を意味し、（メタ）アクリルアミドは、アクリルアミドまたはメタクリルアミドを意味する。
【００２５】
まず、本発明の隔壁形成用ネガ型感光性樹脂組成物に用いる感光性樹脂（Ａ）について説明する。感光性樹脂（Ａ）は、酸性基を有し、かつ、分子内に３個以上のエチレン性二重結合を有する。ただし、感光性樹脂（Ａ）は、本フルオロアルキル基を含有しない。
【００２６】
酸性基としては、カルボキシル基、フェノール性水酸基およびスルホン酸基の群から選ばれる少なくとも１つの酸性基またはその塩が好ましい。
【００２７】
エチレン性二重結合としては、例えば、アクリル基、アリル基、ビニル基、ビニルエーテル基等の付加重合性の不飽和基等が挙げられる。それらの基の水素原子の一部またはすべてが、炭化水素基により置換されていてもよい。炭化水素基としては、メチル基が好ましい。
【００２８】
感光性樹脂（Ａ）としては、例えば、酸性基を有する重合単位、エチレン性二重結合を有する重合単位、およびその他の重合単位からなるラジカル重合体（Ａ１）や、分子内に酸性基を有し、かつ、エチレン性二重結合を有するノボラック樹脂（Ａ２）が挙げられる。
【００２９】
上記の好ましい感光性樹脂（Ａ）の１つであるラジカル重合体（Ａ１）について説明すると、ラジカル重合体（Ａ１）において、酸性基を有する重合単位は、酸性基を有する単量体を重合させることにより重合体に導入することが好ましい。また、反応部位を有する重合体に適宜化合物を反応させる各種変性方法によって、酸性基を重合体に導入することも好ましい方法である。
【００３０】
カルボキシル基を有する単量体としては、アクリル酸、メタクリル酸、ビニル酢酸、クロトン酸、イタコン酸、マレイン酸、フマル酸、ケイ皮酸、もしくはそれらの塩が挙げられる。これらは単独で用いてもよく、２種以上を併用してもよい。
【００３１】
フェノール性水酸基を有する単量体としては、ｏ−ヒドロキシスチレン、ｍ−ヒドロキシスチレン、ｐ−ヒドロキシスチレン等が挙げられる。またこれらのベンゼン環の１個以上の水素原子が、メチル、エチル、ｎ−ブチル等のアルキル基、メトキシ、エトキシ、ｎ−ブトキシ等のアルコキシ基、ハロゲン原子、アルキル基の１個以上の水素原子がハロゲン原子に置換されたハロアルキル基、ニトロ基、シアノ基、アミド基に置換された化合物等が挙げられる。
【００３２】
スルホン酸基を有する単量体としては、ビニルスルホン酸、スチレンスルホン酸、（メタ）アリルスルホン酸、２−ヒドロキシ−３−（メタ）アリルオキシプロパンスルホン酸、（メタ）アクリル酸−２−スルホエチル、（メタ）アクリル酸−２−スルホプロピル、２−ヒドロキシ−３−（メタ）アクリロキシプロパンスルホン酸、２−（メタ）アクリルアミド−２−メチルプロパンスルホン酸、もしくはそれらの塩等が挙げられる。
【００３３】
反応部位を有する重合体に適宜化合物を反応させる各種変性方法によって、カルボキシル基をラジカル重合体（Ａ１）に導入する方法としては、例えば、１）水酸基を有する単量体をあらかじめ共重合させ、後に酸無水物を反応させる方法、２）エチレン性二重結合を有する酸無水物をあらかじめ共重合させ、後に水酸基を有する化合物を反応させる方法が挙げられる。
【００３４】
水酸基を有する単量体の具体例としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、ネオペンチルグリコールモノ（メタ）アクリレート、３−クロロ−２−ヒドロキシプロピル（メタ）アクリレート、グリセリンモノ（メタ）アクリレート、２−ヒドロキシエチルビニルエーテル、４−ヒドロキシブチルビニルエーテル、シクロヘキサンジオールモノビニルエーテル、２−ヒドロキシエチルアリルエーテル、Ｎ−ヒドロキシメチル（メタ）アクリルアミド、Ｎ，Ｎ−ビス（ヒドロキシメチル）（メタ）アクリルアミド等が挙げられる。これらは単独で用いてもよく、２種以上を併用してもよい。
【００３５】
さらに、水酸基を有する単量体としては、末端が水酸基であるＰＯＡ鎖を有する単量体であってもよい。なお、本明細書においてＰＯＡ鎖とはポリオキシアルキレン鎖をいう。例えば、ＣＨ２＝ＣＨＯＣＨ２Ｃ６Ｈ１０ＣＨ２Ｏ（Ｃ２Ｈ４Ｏ）ｋＨ（ここで、ｋは１〜１００の整数、以下同じ。）、ＣＨ２＝ＣＨＯＣ４Ｈ８Ｏ（Ｃ２Ｈ４Ｏ）ｋＨ、ＣＨ２＝ＣＨＣＯＯＣ２Ｈ４Ｏ（Ｃ２Ｈ４Ｏ）ｋＨ、ＣＨ２＝Ｃ（ＣＨ３）ＣＯＯＣ２Ｈ４Ｏ（Ｃ２Ｈ４Ｏ）ｋＨ、ＣＨ２＝ＣＨＣＯＯＣ２Ｈ４Ｏ（Ｃ２Ｈ４Ｏ）ｍ（Ｃ３Ｈ６Ｏ）ｎＨ（ここで、ｍは０または１〜１００の整数であり、ｎは１〜１００の整数であり、ｍ＋ｎは１〜１００である。以下同じ。）、ＣＨ２＝Ｃ（ＣＨ３）ＣＯＯＣ２Ｈ４Ｏ（Ｃ２Ｈ４Ｏ）ｍ（Ｃ３Ｈ６Ｏ）ｎＨ等が挙げられる。これらは単独で用いてもよく、２種以上を併用してもよい。
【００３６】
酸無水物としては、１分子中に２個以上のカルボキシル基を有する化合物の酸無水物が挙げられる。無水ピバリン酸、無水トリメリット酸等が挙げられる。また、無水マレイン酸、無水イタコン酸、無水シトラコン酸、無水フタル酸、無水３−メチルフタル酸、無水メチル−５−ノルボルネン−２，３−ジカルボン酸、無水３，４，５，６−テトラヒドロフタル酸、無水ｃｉｓ−１，２，３，６−テトラヒドロフタル酸、２−ブテン−１−イルスシニックアンハイドライド等のエチレン性二重結合を有する酸無水物が挙げられる。これらは単独で用いてもよく、２種以上を併用してもよい。
【００３７】
水酸基を有する化合物としては、１つ以上の水酸基を有している化合物であれば良く、前記に示した水酸基を有する単量体の具体例や、エタノール、１−プロパノール、２−プロパノール、１−ブタノール、エチレングリコール等のアルコール類、２−メトキシエタノール、２−エトキシエタノール、２−ブトキシエタノール等のセルソルブ類、２−（２−メトキシエトキシ）エタノール、２−（２−エトキシエトキシ）エタノール、２−（２−ブトキシエトキシ）エタノール等のカルビトール類等が挙げられる。なかでも分子内に１個の水酸基を有する化合物が好ましい。これらは単独で用いてもよく、２種以上を併用してもよい。
【００３８】
ラジカル重合体（Ａ１）において、酸価は、１０〜４００（ｍｇＫＯＨ／ｇ）が好ましく、５０〜３００（ｍｇＫＯＨ／ｇ）がより好ましい。この範囲であるとアルカリ溶解性、現像性が良好である。
【００３９】
ラジカル重合体（Ａ１）において、エチレン性二重結合を有する重合単位は、反応部位を有する重合体に適宜化合物を反応させる各種変性方法によって、重合体に導入することが好ましい。この変性方法としては、例えば、以下の方法が例示できる。
【００４０】
１）水酸基を有する単量体をあらかじめ共重合させ、後にエチレン性二重結合を有する酸無水物を反応させる方法、２）水酸基を有する単量体をあらかじめ共重合させ、後にイソシアネート基を有する単量体を反応させる方法、３）水酸基を有する単量体をあらかじめ共重合させ、後に塩化アシル基を有する単量体を反応させる方法、４）エチレン性二重結合を有する酸無水物をあらかじめ共重合させ、後に水酸基を有する単量体を反応させる方法、５）カルボキシル基を有する単量体をあらかじめ共重合させ、その一部をエポキシ基を有する単量体と反応させる方法、６）エポキシ基を有する単量体をあらかじめ共重合させ、後にカルボキシル基を有する単量体を反応させる方法が挙げられる。
【００４１】
水酸基を有する単量体としては、前記の具体例が挙げられる。エチレン性二重結合を有する酸無水物の具体例としては、前記の具体例が挙げられる。イソシアネート基を有する単量体の具体例としては、２−（メタ）アクリロイルオキシエチルイソシアネートが挙げられる。塩化アシル基を有する単量体の具体例としては、（メタ）アクリロイルクロライドが挙げられる。カルボキシル基を有する単量体の具体例としては、前記の具体例が挙げられる。エポキシ基を有する単量体の具体例としては、グリシジル（メタ）アクリレート、３，４−エポキシシクロヘキシルメチルアクリレートが挙げられる。
【００４２】
ラジカル重合体（Ａ１）は、分子内に３個以上のエチレン性二重結合を有するため、露光部分と未露光部分とのアルカリ溶解度に差がつきやすく、より少ない露光量での微細なパターン形成が可能となる。分子内のエチレン性二重結合の数は好ましくは６個以上である。
【００４３】
本明細書のラジカル重合体（Ａ１）は、酸性基を有する重合単位、エチレン性二重結合を有する重合単位以外の重合単位（以下、その他の重合単位という。）を有していても良い。その他の重合単位は、その他の重合単位を与える単量体を重合させることにより重合体に導入することが好ましい。また、反応部位を有する重合体に適宜化合物を反応させる各種変性方法によってその他の重合単位を重合体に導入することも好ましい方法である。以下、その他の重合単位を与える重合性単量体を例として説明する。
【００４４】
その他の重合単位を与える単量体としては、炭化水素系オレフィン類、ビニルエーテル類、イソプロペニルエーテル類、アリルエーテル類、ビニルエステル類、アリルエステル類、（メタ）アクリル酸エステル類、（メタ）アクリルアミド類、芳香族ビニル化合物、クロロオレフィン類、共役ジエン類が挙げられる。これらの化合物には、官能基が含まれていても良く、例えば水酸基、カルボニル基、アルコキシ基等が挙げられる。ただし、これらの化合物には、酸性基および／またはエチレン性二重結合は含まれない。これらは単独で用いてもよく、２種以上を併用してもよい。特に（メタ）アクリル酸エステル類、（メタ）アクリルアミド類が耐熱性に優れた重合体を与えるので好ましい。
【００４５】
（メタ）アクリル酸エステル類の具体例としては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、ｎ−ペンチル（メタ）アクリレート、３−メチルブチル（メタ）アクリレート、ｎ−ヘキシル（メタ）アクリレート、２−エチル−ｎ−ヘキシル（メタ）アクリレート、ｎ−オクチル（メタ）アクリレート、シクロヘキシル（メタ）アクリレート、イソボルニル（メタ）アクリレート、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、ネオペンチルグリコールモノ（メタ）アクリレート、３−クロロ−２−ヒドロキシプロピル（メタ）アクリレート、グリセリンモノ（メタ）アクリレート、（１，１−ジメチル−３−オキソブチル）（メタ）アクリルレート、２−アセトアセトキシエチル（メタ）アクリレート、２−メトキシエチル（メタ）アクリレート、２−エトキシエチル（メタ）アクリレート等が挙げられる。
【００４６】
（メタ）アクリルアミド類の具体例としては、（メタ）アクリルアミド、Ｎ−ビニルアセトアミド、Ｎ−ビニルホルムアミド、Ｎ−ヒドロキシメチル（メタ）アクリルアミド、Ｎ，Ｎ−ビス（ヒドロキシメチル）（メタ）アクリルアミド、Ｎ−（１，１−ジメチル−３−オキソブチル）（メタ）アクリルアミド、Ｎ−メトキシメチル（メタ）アクリルアミド、Ｎ，Ｎ−ビス（メトキシメチル）（メタ）アクリルアミド等が挙げられる。
【００４７】
ラジカル重合体（Ａ１）において、その他の重合単位の割合は７０質量％以下が好ましく、５０質量％以下がより好ましい。この範囲であるとアルカリ溶解性、現像性が良好である。
【００４８】
本発明における上記のラジカル重合体（Ａ１）の数平均分子量は、５００以上２００００未満が好ましく、２０００以上１５０００未満がより好ましい。この範囲であるとアルカリ溶解性、現像性が良好である。
【００４９】
ラジカル重合体（Ａ１）は、例えば、以下の方法によって合成できる。すなわち、重合性単量体を溶媒に溶解して加熱し、重合開始剤を加えて反応させる方法である。該反応においては、必要に応じて連鎖移動剤を存在させるのが好ましい。重合性単量体、重合開始剤、溶剤および連鎖移動剤は連続して添加しても良い。
【００５０】
前記合成方法における溶媒としては、例えばエタノール、１−プロパノール、２−プロパノール、１−ブタノール、エチレングリコール等のアルコール類、アセトン、メチルイソブチルケトン、シクロヘキサノン等のケトン類、２−メトキシエタノール、２−エトキシエタノール、２−ブトキシエタノール等のセルソルブ類、２−（２−メトキシエトキシ）エタノール、２−（２−エトキシエトキシ）エタノール、２−（２−ブトキシエトキシ）エタノール等のカルビトール類、メチルアセテート、エチルアセテート、ｎ−ブチルアセテート、エチルラクテート、ｎ−ブチルラクテート、エチレングリコールモノメチルエーテルアセテート、プロピレングリコールモノメチルエーテルアセテート、エチレングリコールジアセテート、グリセリントリアセテート等のエステル類、ジエチレングリコールジメチルエーテル、ジエチレングリコールメチルエチルエーテル等が挙げられる。これらは単独で用いてもよく、２種以上を併用してもよい。
【００５１】
重合開始剤としては、公知の有機過酸化物、無機過酸化物、アゾ化合物等が挙げられる。有機過酸化物、無機過酸化物は、還元剤と組み合わせて、レドックス系触媒として使用することもできる。これらの重合開始剤は単独で用いてもよく、２種以上を併用してもよい。
【００５２】
有機過酸化物としては、ベンゾイルパーオキシド、ラウロイルパーオキシド、イソブチリルパーオキシド、ｔ−ブチルヒドロパーオキシド、ｔ−ブチル−α−クミルパーオキシド等が挙げられる。
【００５３】
無機過酸化物としては、過硫酸アンモニウム、過硫酸ナトリウム、過硫酸カリウム、過酸化水素、過炭酸塩等が挙げられる。
アゾ化合物としては、２，２´−アゾビスイソブチロニトリル、１，１´−アゾビス（シクロヘキサン−１−カルボニトリル）、２，２´−アゾビス（２，４−ジメチルバレロニトリル）、２，２´−アゾビス（４−メトキシ−２，４−ジメチルバレロニトリル）、２，２´−アゾビスイソ酪酸ジメチル、２，２´−アゾビス（２−アミジノプロパン）二塩酸塩等が挙げられる。
【００５４】
連鎖移動剤としては、メルカプタン類、ハロゲン化アルキル類等が挙げられる。
【００５５】
メルカプタン類としては、ｎ−ブチルメルカプタン、ｎ−ドデシルメルカプタン、ｔ−ブチルメルカプタン、チオグリコール酸エチル、チオグリコール酸２−エチルヘキシル、２−メルカプトエタノール等が挙げられる。ハロゲン化アルキル類としては、クロロホルム、四塩化炭素、四臭化炭素等が挙げられる。これらは単独で用いてもよく、２種以上を併用してもよい。
【００５６】
また、反応部位を有する重合体に適宜化合物を反応させる各種変性方法によって、酸性基および／またはエチレン性二重結合を重合体に導入する際は、反応に用いる溶媒としては、前記の共重合体を合成するときに使用する溶剤の説明で例示した溶剤が挙げられる。
【００５７】
また、重合禁止剤を配合することが好ましい。重合禁止剤としては、公知公用の重合禁止剤を使用することができ、具体的には、２，６−ジ−ｔ−ブチル−ｐ−クレゾールが挙げられる。
【００５８】
また、触媒や中和剤を加えても良い。例えば、水酸基を有する重合単位に、イソシアネート基を有する単量体を反応させる場合、錫化合物等を用いることができる。錫化合物としては、ジブチル錫ジラウレート、ジブチル錫ジ（マレイン酸モノエステル）、ジオクチル錫ジラウレート、ジオクチル錫ジ（マレイン酸モノエステル）、ジブチル錫ジアセテート等が挙げられる。これらは単独で用いてもよく、２種以上を併用してもよい。
【００５９】
水酸基を有する重合単位に、塩化アシル基を有する単量体を反応させる場合、塩基性触媒を用いることができる。塩基性触媒としては、トリエチルアミン、ピリジン、ジメチルアニリン、テトラメチル尿素等が挙げられる。これらは単独で用いてもよいし、２種以上を併用してもよい。
【００６０】
次に、好ましい感光性樹脂（Ａ）の１つであるノボラック樹脂（Ａ２）について説明する。
【００６１】
本発明における上記のノボラック樹脂（Ａ２）とは、フェノール類をアルデヒド類と重縮合して得られるものである。フェノール類の具体例としては、フェノール、ｏ−クレゾール、ｍ−クレゾール、ｐ−クレゾール、２，３−キシレノール、２，５−キシレノール、３，５−キシレノール、２，３，５−トリメチルフェノール、カテコール、レゾルシノール、ハイドロキノン、メチルハイドロキノン、ピロガロール、フロログリシノール等が挙げられる。アルデヒド類としては、ホルムアルデヒドが好ましい。
【００６２】
このようなノボラック樹脂（Ａ２）としては、例えば、フェノール・ホルムアルデヒド樹脂、クレゾール・ホルムアルデヒド樹脂、フェノール・クレゾール・ホルムアルデヒド共縮合樹脂等が挙げられる。
【００６３】
上記樹脂に、エチレン性二重結合を導入する方法としては、例えば、フェノール性水酸基の一部をエポキシ基を有する単量体と反応させる方法が挙げられる。また、フェノール性水酸基の一部またはすべてをエピクロロヒドリンと反応させて、ノボラック樹脂にエポキシ基を導入した後に、該エポキシ基とカルボキシル基を有する単量体を反応させる方法が挙げられる。さらに、この反応で生成した水酸基と酸無水物とを反応させ、分子内にカルボキシル基を導入しても良い。特に、感光性樹脂（Ａ）として、クレゾール・ホルムアルデヒド樹脂型の感光性樹脂を使用した場合、現像により樹脂を除去した基材表面のインクに対する濡れ性が良好であり好ましい。
【００６４】
上記の酸性基およびエチレン性二重結合を含有するノボラック樹脂の市販品としては、ＫＡＹＡＲＡＤ ＰＣＲ−１０６９、Ｋ−４８Ｃ、ＣＣＲ−１１０５、ＣＣＲ−１１１５、ＴＣＲ−１０２５、ＴＣＲ−１０６４、ＴＣＲ−１２８６、ＺＦＲ−１１２２、ＺＦＲ−１１２４、ＺＦＲ−１１８５（以上、日本化薬社製）等が挙げられる。
【００６５】
ノボラック樹脂（Ａ２）の酸価は、１０〜４００（ｍｇＫＯＨ／ｇ）が好ましく、５０〜３００（ｍｇＫＯＨ／ｇ）がより好ましい。この範囲であるとアルカリ溶解性、現像性が良好である。
【００６６】
ノボラック樹脂（Ａ２）は、分子内に３個以上のエチレン性二重結合を有するため、露光部分と未露光部分とのアルカリ溶解度に差がつきやすく、より少ない露光量での微細なパターン形成が可能となる。分子内のエチレン性二重結合の数は好ましくは６個以上である。
【００６７】
さらに、ノボラック樹脂（Ａ２）の数平均分子量は、５００以上２００００未満が好ましく、２０００以上１５０００未満がより好ましい。この範囲であるとアルカリ溶解性、現像性が良好である。
【００６８】
次に、本発明の隔壁形成用ネガ型感光性樹脂組成物に用いる撥インク剤（Ｂ）について説明する。撥インク剤（Ｂ）は、水素原子の少なくとも１つがフッ素原子に置換された炭素数２０以下のアルキル基（ただし、前記アルキル基はエーテル性の酸素を有するものを含む。以下、本フルオロアルキル基とも言う）を有する重合単位（ｂ１）、およびエチレン性二重結合を有する重合単位（ｂ２）を含有する重合体である。
【００６９】
本フルオロアルキル基は直鎖状でもよく、分岐状でもよい。本フルオロアルキル基の具体例としては、ＣＦ３、ＣＦ２ＣＦ３、ＣＦ２ＣＨＦ２、（ＣＦ２）２ＣＦ３、（ＣＦ２）３ＣＦ３、（ＣＦ２）４ＣＦ３、（ＣＦ２）５ＣＦ３、（ＣＦ２）６ＣＦ３、（ＣＦ２）７ＣＦ３、（ＣＦ２）８ＣＦ３、（ＣＦ２）９ＣＦ３、（ＣＦ２）１１ＣＦ３、（ＣＦ２）１５ＣＦ３が挙げられる。
【００７０】
また、本フルオロアルキル基がエーテル性の酸素原子を有する場合の具体例としては、以下の構造が挙げられる。
ＣＦ（ＣＦ３）Ｏ（ＣＦ２）５ＣＦ３、
ＣＦ２Ｏ（ＣＦ２ＣＦ２Ｏ）ｐＣＦ３（ｐは１〜８）、
ＣＦ（ＣＦ３）Ｏ（ＣＦ２ＣＦ（ＣＦ３）Ｏ）ｑＣ６Ｆ１３（ｑは１〜４）、
ＣＦ（ＣＦ３）Ｏ（ＣＦ２ＣＦ（ＣＦ３）Ｏ）ｒＣ３Ｆ７（ｒは１〜５）
【００７１】
本フルオロアルキル基はパーフルオロアルキル基であることが好ましい。これによって、撥インク性が良好となる。また、本フルオロアルキル基の炭素数は４〜１５であることが好ましい。これによって、撥インク性に優れ、本フルオロアルキル基を有する重合性単量体とその他の重合性単量体との相溶性が良好となる。
【００７２】
本フルオロアルキル基を有する重合単位（ｂ１）は、本フルオロアルキル基を有する重合性単量体を重合させることにより重合体に導入することが好ましい。また、反応部位を有する重合体に適宜化合物を反応させる各種変性方法によって、本フルオロアルキル基を重合体に導入することも好ましい方法である。以下、本フルオロアルキル基を有する重合単位（ｂ１）を与える重合性単量体について説明する。
【００７３】
本フルオロアルキル基を有する単量体としては、ＣＨ２＝ＣＲ４ＣＯＯＲ５Ｒｆ、ＣＨ２＝ＣＲ４ＣＯＯＲ６ＮＲ４ＳＯ２Ｒｆ、ＣＨ２＝ＣＲ４ＣＯＯＲ６ＮＲ４ＣＯＲｆ、ＣＨ２＝ＣＲ４ＣＯＯＣＨ２ＣＨ（ＯＨ）Ｒ５Ｒｆ、ＣＨ２＝ＣＲ４ＣＲ４＝ＣＦＲｆ等が挙げられる。ただし、Ｒｆは本フルオロアルキル基を、Ｒ４は水素原子またはメチル基を、Ｒ５は単結合または炭素数１〜６の２価有機基を、Ｒ６は炭素数１〜６の２価有機基を、それぞれ示す。
Ｒ５、Ｒ６の具体例としては、ＣＨ２、ＣＨ２ＣＨ２、ＣＨ（ＣＨ３）、ＣＨ２ＣＨ２ＣＨ２、Ｃ（ＣＨ３）２、ＣＨ（ＣＨ２ＣＨ３）、ＣＨ２ＣＨ２ＣＨ２ＣＨ２、ＣＨ（ＣＨ２ＣＨ２ＣＨ３）、ＣＨ２（ＣＨ２）３ＣＨ２、ＣＨ（ＣＨ２ＣＨ（ＣＨ３）２）等が挙げられる。なお、本発明においてはＲ５は単結合であってもよい。
また、上記の重合性単量体は単独で用いてもよく、２種以上を併用してもよい。
【００７４】
撥インク剤（Ｂ）におけるフッ素含有量は、５〜２５質量％であり、好ましくは１２〜２０質量％である。撥インク剤における本フルオロアルキル基は隔壁形成用ネガ型感光性樹脂組成物の他の成分との相溶性が悪く、フォトリソグラフィー工程を経て得られた塗膜または隔壁の外観が損なわれることがある。撥インク剤（Ｂ）におけるフッ素含有量が上記範囲であることにより、本発明における隔壁形成用ネガ型感光性樹脂組成物の他の成分との相溶性が良好であり、したがって塗膜外観や基材密着性が良好となる。さらに、撥インク性が良好である。
【００７５】
撥インク剤（Ｂ）において、エチレン性二重結合を有する重合単位（ｂ２）は、前記したラジカル重合体（Ａ１）においてエチレン性二重結合を有する重合単位を導入する方法と同様の方法により、重合体に導入できる。なお、重合単位（ｂ２）には、本フルオロアルキル基が含まれない。
【００７６】
撥インク剤（Ｂ）は、分子内に３個以上１００個以下のエチレン性二重結合を有することが好ましい。より好ましくは６個以上３０個以下である。この範囲であると現像性が良好となる。
【００７７】
本発明において、撥インク剤（Ｂ）は、酸性基を有することが好ましい。これにより、現像性が良好になるので、より微細なパターン形成が可能となる。
【００７８】
酸性基としては、カルボキシル基、フェノール性水酸基およびスルホン酸基の群から選ばれる少なくとも１つの酸性基またはその塩が好ましい。
【００７９】
撥インク剤（Ｂ）への酸性基の導入方法としては、例えば、酸性基を有する単量体を重合させることにより重合体に導入することが好ましい。また、反応部位を有する重合体に適宜化合物を反応させる各種変性方法によって、酸性基を重合体に導入することも好ましい方法である。
【００８０】
カルボキシル基を有する単量体、フェノール性水酸基を有する単量体、スルホン酸基を有する単量体としては、前記ラジカル重合体（Ａ１）の説明で記述した単量体等が挙げられる。
【００８１】
反応部位を有する重合体に適宜化合物を反応させる各種変性方法によって、カルボキシル基を重合体に導入する方法としては、例えば、１）水酸基を有する単量体をあらかじめ共重合させ、後に酸無水物を反応させる方法、２）エチレン性二重結合を有する酸無水物をあらかじめ共重合させ、後に水酸基を有する化合物を反応させる方法が挙げられる。
水酸基を有する単量体、酸無水物、エチレン性二重結合を有する酸無水物、水酸基を有する化合物としては、前記ラジカル重合体（Ａ１）の説明で記述した具体例が挙げられる。
【００８２】
撥インク剤（Ｂ）の酸価は１０〜４００（ｍｇＫＯＨ／ｇ）が好ましく、２０〜３００（ｍｇＫＯＨ／ｇ）がより好ましい。この範囲であるとアルカリ溶解性、現像性が良好である。
【００８３】
本発明においては、撥インク剤（Ｂ）は、必要に応じて、本フルオロアルキル基を有する重合単位（ｂ１）、エチレン性二重結合を有する重合単位（ｂ２）、および酸性基を有する重合単位（ｂ３）以外の重合単位（ｂ４）を有していてもよい。
【００８４】
重合単位（ｂ４）は、単量体を重合させることにより重合体に導入することが好ましい。また、反応部位を有する重合体に適宜化合物を反応させる各種変性方法によって、重合体に導入することも好ましい方法である。以下、重合単位（ｂ４）を与える重合性単量体について例を挙げて説明する。
【００８５】
重合単位（ｂ４）を与える単量体としては、炭化水素系オレフィン類、ビニルエーテル類、イソプロペニルエーテル類、アリルエーテル類、ビニルエステル類、アリルエステル類、（メタ）アクリル酸エステル類、（メタ）アクリルアミド類、芳香族ビニル化合物、クロロオレフィン類、共役ジエン類が挙げられる。これらの化合物には、官能基が含まれていても良く、官能基としては、例えば、水酸基、カルボニル基、アルコキシ基等が挙げられる。
なお、上記の単量体は単独で用いてもよく、２種以上を併用してもよい。特に（メタ）アクリル酸エステル類、（メタ）アクリルアミド類が好ましい。（メタ）アクリル酸エステル類、（メタ）アクリルアミド類としては、前記ラジカル重合体（Ａ１）の説明で記述した具体例が挙げられる。
【００８６】
また、撥インク剤（Ｂ）において、重合単位（ｂ４）の割合は７０質量％以下が好ましく、５０質量％以下がより好ましい。この範囲であるとアルカリ溶解性、現像性が良好である。
【００８７】
撥インク剤（Ｂ）は、ラジカル重合体（Ａ１）において述べたと同様の手法によって合成できる。
【００８８】
撥インク剤（Ｂ）の数平均分子量は、５００以上１５０００未満が好ましく、１０００以上１００００未満がより好ましい。この範囲であるとアルカリ溶解性、現像性が良好である。
【００８９】
撥インク剤（Ｂ）の隔壁形成用ネガ型感光性樹脂組成物の全固形分における割合は、０．０１〜２０質量％である。撥インク剤（Ｂ）の配合量がこの範囲であると、隔壁形成用ネガ型感光性樹脂組成物の他の成分との相溶性が良好であり、したがって塗膜外観や基材密着性が良好となる。さらに、撥インク性が良好である。割合は、０．０５〜１５質量％が好ましい。
【００９０】
また、撥インク剤（Ｂ）の配合量は、アルカリ可溶の感光性樹脂（Ａ）の１００質量部に対して０．１〜２００質量部が好ましく、０．５〜１００質量部がより好ましい。この範囲であるとアルカリ溶解性、現像性、撥インク性が良好で、かつ本フルオロアルキル基による基材密着性の低下を防止することができる。
【００９１】
次に、光重合開始剤（Ｃ）について説明する。光重合開始剤（Ｃ）は特に限定されないが、光ラジカル発生剤が好ましい。
【００９２】
光ラジカル発生剤としては、例えば、ベンジル、ジアセチル、メチルフェニルグリオキシレート、９，１０−フェナンスレンキノン等のα−ジケトン類、ベンゾイン等のアシロイン類、ベンゾインメチルエーテル、ベンゾインエチルエーテル、ベンゾインイソプロピルエーテル等のアシロインエーテル類、チオキサントン、２−クロロチオキサントン、２−メチルチオキサントン、２，４−ジメチルチオキサントン、イソプロピルチオキサントン、２，４−ジエチルチオキサントン、２，４−ジクロロチオキサントン、２，４−ジイソプロピルチオキサントン、チオキサントン−４−スルホン酸等のチオキサントン類、ベンゾフェノン、４，４´−ビス（ジメチルアミノ）ベンゾフェノン、４，４´−ビス（ジエチルアミノ）ベンゾフェノン等のベンゾフェノン類、アセトフェノン、２−（４−トルエンスルホニルオキシ）−２−フェニルアセトフェノン、ｐ−ジメチルアミノアセトフェノン、２，２´−ジメトキシ−２−フェニルアセトフェノン、ｐ−メトキシアセトフェノン、２−メチル［４−（メチルチオ）フェニル］−２−モルフォリノ−１−プロパノン、２−ベンジル−２−ジメチルアミノ−１−（４−モルフォリノフェニル）−ブタン−１−オン等のアセトフェノン類、アントラキノン、２−エチルアントラキノン、カンファーキノン、１，４−ナフトキノン等のキノン類、２−ジメチルアミノ安息香酸エチル、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル等のアミノ安息香酸類、フェナシルクロライド、トリハロメチルフェニルスルホン等のハロゲン化合物、アシルホスフィンオキシド類、ジ−ｔ−ブチルパーオキサイド等の過酸化物等が挙げられる。
特に、上記アミノ安息香酸類、上記ベンゾフェノン類等は、その他の光ラジカル発生剤と共に用いられて、増感効果を発現することがある。また、トリエタノールアミン、メチルジエタノールアミン、トリイソプロパノールアミン、ｎ−ブチルアミン、Ｎ−メチルジエタノールアミン、ジエチルアミノエチルメタクリレート等の脂肪族アミン類も同じく光ラジカル発生剤と共に用いられて、増感効果を発現することがある。
【００９３】
光重合開始剤（Ｃ）の市販品としては、ＩＲＧＡＣＵＲＥ−１８４、同２６１、同３６９、同５００、同６５１、同９０７（以上、チバ−ガイギー社製）、Ｄａｒｏｃｕｒ−１１７３、同１１１６、同２９５９、同１６６４、同４０４３（以上、メルクジャパン社製）、ＫＡＹＡＣＵＲＥ−ＤＥＴＸ、同ＭＢＰ、同ＤＭＢＩ、同ＥＰＡ、同ＯＡ（以上、日本化薬社製）、ＶＩＣＵＲＥ−１０、同５５（以上、ＳＴＡＵＦＦＥＲ Ｃｏ．ＬＴＤ製）、ＴＲＩＧＯＮＡＬＰ１（ＡＫＺＯ Ｃｏ．ＬＴＤ製）、ＳＡＮＤＯＲＡＹ １０００（ＳＡＮＤＯＺ Ｃｏ．ＬＴＤ製）、ＤＥＡＰ（ＡＰＪＯＨＮ Ｃｏ．ＬＴＤ製）、ＱＵＡＮＴＡＣＵＲＥ−ＰＤＯ、同 ＩＴＸ、同ＥＰＤ（ＷＡＲＤ ＢＬＥＫＩＮＳＯＰ Ｃｏ．ＬＴＤ製）等が挙げられる。
【００９４】
なお、上記の光重合開始剤（Ｃ）は単独で用いてもよく、２種以上を併用してもよい。
【００９５】
光重合開始剤（Ｃ）の配合量は、感光性樹脂（Ａ）１００質量部に対して０．１〜５０質量部が好ましく、０．５〜３０質量部がより好ましい。この範囲であると現像性が良好である。
【００９６】
本発明の隔壁形成用ネガ型感光性樹脂組成物においては、さらに、ラジカル架橋剤（Ｄ）を含有していてもよい。これにより、光照射による硬化を促進して比較的短時間での硬化が可能となる。
【００９７】
ラジカル架橋剤（Ｄ）は、アルカリ不溶であり、２個以上のエチレン性二重結合を有する化合物からなる。ただし、本フルオロアルキル基を有さない。
具体例としては、ジエチレングリコールジ（メタ）アクリレート、テトラエチレングリコールジ（メタ）アクリレート、トリプロピレングリコールジ（メタ）アクリレート、ネオペンチルグリコールジ（メタ）アクリレート、１，９−ノナンジオールジ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールヘキサ（メタ）アクリレート等が挙げられる。これらは単独で用いてもよく、２種以上を併用してもよい。
【００９８】
ラジカル架橋剤（Ｄ）の市販品としては、アロニックスＭ−３０９、同Ｍ−４００、同Ｍ−４０５、同Ｍ−４５０、同Ｍ−７１００、同Ｍ−８０３０、同Ｍ−８０６０（東亜合成化学工業社製）、ＫＡＹＡＲＡＤ ＤＰＨＡ、同Ｄ−３１０、同Ｄ−３３０、同ＴＭＰＴＡ、同ＤＰＣＡ−２０、同ＤＰＣＡ−３０、同ＤＰＣＡ−６０、同ＤＰＣＡ−１２０（以上、日本化薬社製）、Ｖ−２９５、同−３００、同−３６０、同−ＧＰＴ、同−３ＰＡ、同−４００（大阪有機化学工業（株）製）、ＰＰＺ（出光石油化学（株）製）が挙げられる。
【００９９】
ラジカル架橋剤（Ｄ）の配合量は、アルカリ可溶の感光性樹脂（Ａ）の１００質量部に対して１０〜５００質量部が好ましく、５０〜２００質量部がより好ましい。この範囲であると現像性が良好である。
【０１００】
さらに、本発明の隔壁形成用ネガ型感光性樹脂組成物においては、必要に応じてシランカップリング剤（Ｅ）を使用することができる。これにより、基材との密着性が向上することがある。
シランカップリング剤の具体例としては、テトラエトキシシラン、３−グリシドキシプロピルトリメトキシシラン、メチルトリメトキシシラン、ビニルトリメトキシシラン、３−メタクリロイルオキシプロピルトリメトキシシラン、３−クロロプロピルトリメトキシシラン、３−メルカプトプロピルトリメトキシシラン、ヘプタデカフルオロオクチルエチルトリメトキシシラン、ＰＯＡ鎖含有トリエトキシシラン等が挙げられる。これらは単独で用いてもよく、２種以上を併用してもよい。
【０１０１】
さらに、本発明の隔壁形成用ネガ型感光性樹脂組成物においては、希釈剤（Ｆ）を使用することができる。
希釈剤（Ｆ）の具体例としては、ラジカル重合体（Ａ１）の説明で例示した重合性単量体が挙げられる。また、ラジカル重合体（Ａ１）を合成するときに使用する溶剤の説明で例示した溶剤が挙げられる。その他には、ｎ−ブタン、ｎ−ヘキサン等の鎖式炭化水素、シクロヘキサン等の環式飽和炭化水素、トルエン、キシレン、ベンジルアルコール等の芳香族炭化水素等が挙げられる。これらは単独で用いてもよいし、２種以上を併用してもよい。
【０１０２】
さらに、本発明の隔壁形成用ネガ型感光性樹脂組成物においては、必要に応じ熱硬化剤（Ｇ）を使用することができる。これにより、感光性樹脂の耐熱性、耐透水性が向上することがある。
【０１０３】
熱硬化剤（Ｇ）としては、例えば、アミノ樹脂、２個以上のエポキシ基を有する化合物、２個以上のヒドラジノ基を有する化合物、ポリカルボジイミド化合物、２個以上のオキサゾリン基を有する化合物、２個以上のアジリジン基を有する化合物、多価金属類、２個以上のメルカプト基を有する化合物、ポリイソシアネート化合物等が挙げられる。これらは単独で用いてもよく、２種以上を併用してもよい。
【０１０４】
アミノ樹脂としては、メラミン系化合物、グアナミン系化合物、尿素系化合物等のアミノ基の一部もしくはすべてをヒドロキシメチル化した化合物、または該ヒドロキシメチル化した化合物の水酸基の一部もしくはすべてをメタノール、エタノール、ｎ−ブチルアルコール、２−メチル−１−プロパノール等でエーテル化した化合物、例えば、ヘキサメトキシメチルメラミン等が挙げられる。
【０１０５】
２個以上のエポキシ基を有する化合物としては、ビスフェノールＡ型エポキシ樹脂、ビスフェノールＦ型エポキシ樹脂、フェノール・ノボラック型エポキシ樹脂、クレゾール・ノボラック型エポキシ樹脂、トリスフェノールメタン型エポキシ樹脂、臭素化エポキシ樹脂等のグリシジルエーテル類、３，４−エポキシシクロヘキシルメチル−３，４−エポキシシクロヘキサンカルボキシレート、ビス（２，３−エポキシシクロペンチル）エーテルなどの脂環式エポキシ樹脂、ジグリシジルヘキサヒドロフタレート、ジグリシジルテトラヒドロフタレート、ジグリシジルフタレート等のグリシジルエステル類、テトラグリシジルジアミノジフェニルメタン、トリグリシジルパラアミノフェノール等のグリシジルアミン類、トリグリシジルイソシアヌレートなどの複素環式エポキシ樹脂などが挙げられる。
【０１０６】
２個以上のヒドラジノ基を有する化合物としては、カルボヒドラジド、シュウ酸ジヒドラジド、マロン酸ジヒドラジド、コハク酸ジヒドラジド、グルタル酸ジヒドラジド、アジピン酸ジヒドラジド、ヘプタン二酸ジヒドラジド、オクタン二酸ジヒドラジド、ノナン二酸ジヒドラジド、ドデカン二酸ジヒドラジド、ヘキサデカン二酸ジヒドラジド、フタル酸ジヒドラジド、イソフタル酸ジヒドラジド、テレフタル酸ジヒドラジド、１，４−ナフトエ酸ジヒドラジド、２，６−ナフトエ酸ジヒドラジド、４，４´−ビスベンゼンジヒドラジド、２，６−ピリジンジヒドラジド、１，４−シクロヘキサンジヒドラジド、酒石酸ジヒドラジド、リンゴ酸ジヒドラジド、イミノジ酢酸ジヒドラジド、イタコン酸ジヒドラジド等が挙げられる。エチレンジアミンテトラ酢酸テトラヒドラジド、クエン酸トリヒドラジド、シクロヘキサントリカルボン酸トリヒドラジド、トリメリット酸トリヒドラジド、ピロメリット酸トリヒドラジド、ピロメリット酸テトラヒドラジド、１，４，５，８−ナフトエ酸テトラヒドラジドが挙げられる。
【０１０７】
ポリカルボジイミド化合物は、公知の有機ジイソシアネートの脱二酸化炭素縮合反応により得られる。このときに公知の触媒としてトリメチルホスフェート、トリエチルホスフェート等のリン酸系化合物を用いることができる。また、有機ジイソシアネートと水酸基含有ポリエチレングリコールの混合物を用いることによりノニオン親水性ポリカルボジイミド化合物が得られる。
【０１０８】
２個以上のオキサゾリン基を有する化合物としては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン等の重合性単量体の共重合体を挙げることができる。
【０１０９】
２個以上のアジリジン基を有する化合物としては、２，２−ビスヒドロキシメチルブタノール−トリス〔３−（１−アジリジニル）プロピオネート〕、２，２，２−トリスヒドロキシメチルエタノール−トリス〔３−（１−アジリジニル）プロピオネート〕等が挙げられる。
【０１１０】
多価金属類としては、塩化亜鉛、塩化亜鉛アンモニウム、硝酸亜鉛、炭酸亜鉛、硫酸亜鉛、クロム酸およびその塩、重クロム酸およびその塩、ジイソプロポキシチタニウムビスアセチルアセトン、硫酸アルミニウム、トリアセチルアルミニウム、硝酸ジルコニル、酢酸ジルコニル、炭酸ジルコニルアンモニウム、フッ化ジルコニウムカリウム、フッ化ジルコニウムアンモニウム等が挙げられる。
【０１１１】
２個以上のメルカプト基を有する化合物としては、脂肪族ジメルカプト化合物、芳香族ジメルカプト化合物等が挙げられる。
【０１１２】
脂肪族ジメルカプト化合物としては、１，６−ジメルカプトヘキサン、ジメルカプトジエチルエーテル、トリグリコールジメルカプタン、ビス−（２−メルカプトエチル）サルファイド等の脂肪族ジメルカプト化合物等が挙げられる。
【０１１３】
芳香族ジメルカプト化合物としては、３，４−ジメルカプトトルエン、ビス（４−メルカプトフェニル）サルファイド、２，５−ジメルカプト−１，３，４−チアジアゾール、４−ｔ−ブチル−１，２−ベンゼンジチオール、２−ジ−ｎ−ブチルアミノ−４，６−ジメルカプト−１，３，５−トリアジン、２，４，６−トリメルカプト−１，３，５−トリアジン等が挙げられる。
【０１１４】
ポリイソシアネート化合物としては、ヘキサメチレンジイソシアナートやイソホロンジイソシアナート等のポリイソシアナート化合物、メチルシリルトリイソシアナート等のシリルイソシアナート化合物および／またはこれらの縮合物や多量体、およびフェノール等のブロック化剤でイソシアネート基をブロックしたブロック化ポリイソシアネート化合物等が挙げられる。
【０１１５】
上記の熱硬化剤（Ｇ）のうち、特に、アミノ樹脂、２個以上のエポキシ基を有する化合物、２個以上のオキサゾリン基を有する化合物が好ましい。ネガ型感光性樹脂組成物の貯蔵安定性が良好となる。
【０１１６】
本発明の隔壁形成用ネガ型感光性樹脂組成物においては、必要に応じて硬化促進剤、着色剤、増粘剤、可塑剤、消泡剤、レベリング剤、ハジキ防止剤、紫外線吸収剤等を使用することができる。着色剤としては、染料、有機顔料、無機顔料、メタリック顔料等が例示される。
【０１１７】
着色剤を混合した隔壁形成用ネガ型感光性樹脂組成物は、遮光用塗膜として使用できる。例えばカラーフィルター用隔壁材としては、ＲＧＢの発光色のコントラストを高めるため黒色の塗膜を形成できる隔壁形成用ネガ型感光性樹脂組成物が適用される。
【０１１８】
黒色となる着色剤としては、カーボンブラック、チタンブラック、黒色金属酸化物顔料が好ましい。また、赤、青、緑、紫、黄、シアン、マゼンタ等から選ばれる２種以上の有機顔料を混合し、黒色化した組み合わせも好ましい。
【０１１９】
カーボンブラックとしては、ランプブラック、アセチレンブラック、サーマルブラック、チャンネルブラック、ファーネスブラック等が挙げられる。
【０１２０】
チタンブラックとは、チタンの酸化または二酸化チタンの還元により得られるもので、ＴｉｕＯ２ｕ−１（ｕは、１以上の数）で表される少なくとも１種である。
【０１２１】
黒色金属酸化物顔料としては、銅、鉄、クロム、マンガン、コバルトの酸化物が挙げられる。前記金属酸化物から選ばれる少なくとも２種以上の複合金属酸化物も好ましい。例えば、銅−クロムの酸化物、銅−クロム−マンガンの酸化物、銅−鉄−マンガンの酸化物又はコバルト−鉄−マンガンの酸化物等が挙げられる。
【０１２２】
青の顔料としては、フタロシアニン系顔料が、赤の顔料としては、キナクリドン系顔料、ペリレン系顔料、ピロロ・ピロール系顔料、アントラキノン系顔料等が、緑の顔料としては、ハロゲン化フタロシアニン系顔料、紫の顔料としては、ジオキサジンバイオレット、ファストバイオレットＢ、メチルバイオレットイーキ、インダントレンブリリアントバイオレット、黄の顔料としては、テトラクロロイソインドリノン系顔料、ハンザイロー系顔料、ベンジジンエロー系顔料、アゾ系顔料、シアンの顔料としては無金属フタロシアニン、メロシアニン、マゼンタの顔料としては、ジメチルキナクリドン、チオインジゴなどが挙げられる。
【０１２３】
顔料は、分散剤（例えば、ポリカプロラクトン系化合物、長鎖アルキルポリアミノアマイド系化合物等。）と共にサンドミル、ロールミル等の分散機によって分散され、その後、感光性樹脂組成物に加えてもよい。粒径は、１μｍ以下が好ましい。当該範囲であると隔壁形成用ネガ型感光性樹脂組成物の現像性が良好となる。
【０１２４】
次に、上記の隔壁形成用ネガ型感光性樹脂組成物を用いたパターン形成方法について説明する。
【０１２５】
まず、公知の塗膜形成方法によって、基材の表面に隔壁形成用ネガ型感光性樹脂組成物の塗膜を形成する。塗膜の形成方法としては、スプレー法、ロールコート法、回転塗布法、バー塗布法などが挙げられる。
【０１２６】
基材としては、その材質は特に限定されるものではないが、例えば、各種ガラス板、ポリエチレンテレフタレート等のポリエステルやポリプロピレン、ポリエチレン等のポリオレフイン等、ポリカーボネート、ポリメチルメタクリレート、ポリスルホンの熱可塑性プラスチックシート、エポキシ樹脂、ポリエステル樹脂、ポリ（メタ）アクリル樹脂等の熱硬化性プラスチックシート等を挙げることができる。特に、耐熱性の点からガラス板、耐熱性プラスチックが好ましく用いられる。
【０１２７】
次に、塗膜は乾燥（以下、プリベークと呼ぶ。）される。プリベークすることによって、溶剤が揮発し、流動性のない塗膜が得られる。プリベーク条件は、各成分の種類、配合割合などによっても異なるが、好ましくは６０〜１２０℃、１０〜６００秒間程度の幅広い範囲で使用できる。
【０１２８】
次に、加熱された塗膜に所定パターンのマスクを介して光を照射した後、現像液により現像し、未露光部分を除去する。照射する光としては、可視光、紫外線、遠紫外線、ＫｒＦエキシマレーザー、ＡｒＦエキシマレーザー、Ｆ２エキシマレーザー、Ｋｒ２エキシマレーザー、ＫｒＡｒエキシマレーザー、Ａｒ２エキシマレーザー等のエキシマレーザー、Ｘ線、電子線等が挙げられ、反応制御の容易性、経済性の点から、紫外線が好ましい。
照射装置として、公知の超高圧水銀灯等を用いることができる。通常は、５〜１０００ｍＪ／ｃｍ２の露光量の範囲で露光される。
【０１２９】
現像液としては、例えば水酸化ナトリウム、水酸化カリウム、炭酸ナトリウム、ケイ酸ナトリウム、メタケイ酸ナトリウム、アンモニア水などの無機アルカリ類；エチルアミン、ｎ−プロピルアミンなどの第一級アミン類；ジエチルアミン、ジ−ｎ−プロピルアミンなどの第二級アミン類；トリエチルアミン、メチルジエチルアミン、Ｎ−メチルピロリドンなどの第三級アミン類；ジメチルエタノールアミン、トリエタノールアミンなどのアルコールアミン類；テトラメチルアンモニウムヒドロキシド、テトラエチルアンモニウムヒドロキシド、コリンなどの第四級アンモニウム塩；ピロール、ピペリジン等の環状アミン類のアルカリ類からなるアルカリ水溶液を用いることができる。また上記アルカリ水溶液に、メタノール、エタノールなどの水溶性有機溶媒、界面活性剤などを適当量添加した水溶液を現像液として使用することもできる。
【０１３０】
現像時間は、３０〜１８０秒間が好ましい。また現像方法は液盛り法、ディッピング法などのいずれでもよい。現像後、流水洗浄を行い、圧縮空気や圧縮窒素で風乾させることによって、基板上の水分を除去する。続いて、ホットプレート、オーブンなどの加熱装置により、好ましくは１５０〜２５０℃で、５〜９０分間加熱処理をすることによって、パターンが形成される。
【０１３１】
このように、本発明の隔壁形成用ネガ型感光性樹脂組成物は、それ自体はアルカリ可溶性であり、光照射により光重合開始剤（Ｃ）からラジカルが発生し、主としてアルカリ可溶の感光性樹脂（Ａ）および撥インク剤（Ｂ）が架橋され硬化し、アルカリ現像によって光の照射されていない部分が除去されるネガ型レジストとして使用できる。
【０１３２】
そして、基材の表面にパターン化された塗膜は、上記のように後工程にて洗浄工程を経ることが多いが、本発明のネガ型感光性樹脂組成物から得られる塗膜は、洗浄工程を経ても撥インク性が良好であり、優れた撥インク性とその持続性、アルカリ溶解性、現像性を得ることができ、更に、基材密着性に優れる。
この優れた撥インク性、その持続性、基材密着性および現像性を発現する機構は、必ずしも明確ではないが、以下のように考えられる。
【０１３３】
撥インク剤（Ｂ）における本フルオロアルキル基は撥インク性を付与するが、この本フルオロアルキル基は、表面移行性を有しており、プリベークの際に撥インク剤（Ｂ）は塗膜表面近傍に移行する。したがって、少量の撥インク剤（Ｂ）の添加であっても、プリベーク時には、塗膜表面に充分な撥インク性を付与できる。また、撥インク剤（Ｂ）は、エチレン性二重結合を有しており、光照射で硬化するので、この硬化によって、撥インク性の持続性が高くなるものと考えられる。
さらに、プリベークの際に撥インク剤（Ｂ）が塗膜表面近傍に移行することによって、基材付近の撥インク剤（Ｂ）の濃度が相対的に減少し、本フルオロアルキル基による基材密着性の低下を防止することができる。
また、感光性樹脂（Ａ）は主に現像性を付与し、分子内に３個以上のエチレン性二重結合を有するため、露光部分と未露光部分とのアルカリ溶解度に差がつきやすく、より少ない露光量での微細なパターン形成を可能にする。
【０１３４】
なお、上記の撥インク性は、水およびキシレンの接触角で見積もることができ、水の接触角は９０度以上が好ましく、１００度以上がより好ましい。また、キシレンの接触角は３０度以上が好ましく、４０度以上がより好ましい。
【０１３５】
また、上記の本発明の隔壁形成用ネガ型感光性樹脂組成物は、優れたアルカリ溶解性、現像性を有するので、微細なパターンを形成することが可能である。具体的には１００μ以下のパターン形成に好ましく用いられ、５０μｍ以下のパターン形成により好ましく用いられる。
【実施例】
【０１３６】
以下に、合成例および実施例を掲げて本発明を具体的に説明するが、これにより本発明は限定されない。例１〜９、１６、および１７が実施例であり、例１０〜１５が比較例である。なお、以下において、特に断らない限り、部および％は質量基準である。また、数平均分子量はゲルパーミエーションクロマトグラフィー法によりポリスチレンを標準物質として測定した値である。
【０１３７】
各例において用いた略号の化合物を以下に示す。
Ｃ６ＦＭＡ：ＣＨ２＝Ｃ（ＣＨ３）ＣＯＯＣＨ２ＣＨ２（ＣＦ２）６Ｆ
Ｃ４ＦＭＡ：ＣＨ２＝Ｃ（ＣＨ３）ＣＯＯＣＨ２ＣＨ２（ＣＦ２）４Ｆ
Ｃ８ＦＡ：ＣＨ２＝ＣＨＣＯＯＣＨ２ＣＨ２（ＣＦ２）８Ｆ
ＭＡＡ：メタクリル酸
ＡＡ：アクリル酸
ＨＥＭＡ：２−ヒドロキシエチルメタクリレート
Ｎ−ＭＡＡ：Ｎ−ヒドロキシメチルアクリルアミド
ＭＭＡ：メチルメタクリレート
ＣＨＭＡ：シクロヘキシルメタクリレート
ＩＢＭＡ：イソボルニルメタクリレート
ＧＭＡ：グリシジルメタクリレート
ＴＦＥＭＡ：トリフルオロエチルメタクリレート
ＤＳＨ：ｎ−ドデシルメルカプタン
Ｖ−７０：２，２´−アゾビス（４−メトキシ−２，４−ジメチルバレロニトリル）
（和光純薬社製、商品名  Ｖ−７０）
ＭＯＩ：２−メタクリロイルオキシエチルイソシアネート
ＡＣ：アクリロイルクロライド
ＥＣＡ：３，４−エポキシシクロヘキシルメチルアクリレート
ＤＢＴＤＬ：ジブチル錫ジラウレート
ＢＨＴ：２，６−ジ−ｔ−ブチル−ｐ−クレゾール
ＴＥＡ：トリエチルアミン
ＥＥＡ：２−（２−エトキシエトキシ）エチルアセテート
ＭＩＢＫ：メチルイソブチルケトン
ＩＲ９０７：光重合開始剤（チバ−ガイギー社製、商品名  ＩＲＧＡＣＵＲＥ−９０７）
Ｄ３１０：ジペンタエリスリトールペンタアクリレート（日本化薬社製、商品名  ＫＡＹＡＲＡＤ  Ｄ−３１０）
ＤＥＡＢ：４，４´−ビス（ジエチルアミノ）ベンゾフェノン
ＫＢＭ４０３：３−グリシドキシプロピルトリメトキシシラン（信越化学社製、商品名  ＫＢＭ−４０３）
ＤＥＧＤＭ：ジエチレングリコールジメチルエーテル
Ｍ３２５：メチルエーテル化メラミン樹脂（三井サイテック社製、商品名  マイコート＃３２５）
ＣＣＲ−１１１５：クレゾールノボラック樹脂（日本化薬社製、商品名  ＣＣＲ−１１１５、エチレン性二重結合数≒６）
ＥＯＣＮ−１０４Ｓ：クレゾールノボラック型エポキシ樹脂（日本化薬社製、商品名  ＥＯＣＮ−１０４Ｓ）
Ｆ１７２：パーフルオロアルキル基および親油性基含有オリゴマー（大日本インキ化学工業社製、商品名  メガファックＦ１７２）
Ｐ−１Ｍ：ＣＨ２＝Ｃ（ＣＨ３）ＣＯＯＣＨ２ＣＨ２ＯＰＯ（ＯＨ）２（共栄社化学社製、商品名  ライトエステルＰ−１Ｍ）
Ｐ−２Ｍ：（ＣＨ２＝Ｃ（ＣＨ３）ＣＯＯＣＨ２ＣＨ２Ｏ）２ＰＯＯＨ（共栄社化学社製、商品名  ライトエステルＰ−２Ｍ）
ＰＥＴＭＡ：ペンタエリスリトールテトラメタクリレート
ＨＰＰＭＡ：２−ヒドロキシ−３−フェニルオキシプロピルメタクリレート
ＮＶＰ：Ｎ−ビニルピロリドン
ＣＢ：カーボンブラック（ブラック顔料２０％プロピレングリコールモノメチルエーテルアセテート溶液）
【０１３８】
［アルカリ可溶の感光性樹脂（Ａ）の合成］
［合成例１］
撹拌機を備えた内容積１Ｌのオートクレーブに、アセトンの５５５．０ｇ、ＡＡの９６．０ｇ、ＨＥＭＡの９６．０ｇ、ＩＢＭＡの４８．０ｇ、連鎖移動剤ＤＳＨの９．７ｇおよび重合開始剤Ｖ−７０の７．１ｇを仕込み、窒素雰囲気下に撹拌しながら、４０℃で１８時間重合させ、重合体１の溶液を得た。該重合体１の数平均分子量は５０００であった。
得られた重合体１のアセトン溶液に水を加え再沈精製し、次いで石油エーテルにて再沈精製し、真空乾燥し、重合体１の２４０ｇを得た。
温度計、撹拌機、加熱装置を備えた内容量３００ｍＬのガラス製フラスコに、重合体１の１００ｇ、ＭＯＩの４８．３ｇ、ＤＢＴＤＬの０．１９ｇ、ＢＨＴの２．４ｇおよびアセトンの１００ｇを仕込み、撹拌しながら、３０℃で１８時間重合させ、樹脂Ａ−１の溶液を得た。該樹脂Ａ−１の数平均分子量は６９００であった。
得られた樹脂Ａ−１のアセトン溶液に水を加え再沈精製し、次いで石油エーテルにて再沈精製し、真空乾燥し、樹脂Ａ−１の１４８ｇを得た。１分子中に含まれるエチレン性二重結合は、１２．３個である。
【０１３９】
［合成例２］
重合体１の合成において、原料の配合量を表１のように変更したほかは同様にして、重合体２〜９および１１を得た。
得られた重合体２のアセトン溶液に水を加え再沈精製し、次いで石油エーテルにて再沈精製し、真空乾燥し、重合体２の２４０ｇを得た。
温度計、撹拌機、加熱装置を備えた内容量３００ｍＬのガラス製フラスコに、重合体２の１００ｇ、ＡＣの４１．８ｇ、ＴＥＡの４６．７ｇおよびアセトンの１００ｇを仕込み、撹拌しながら、３０℃で１８時間重合させ、樹脂Ａ−２の溶液を得た。該樹脂Ａ−２の数平均分子量は６８６０であった。
得られた樹脂Ａ−２のアセトン溶液に水を加え再沈精製し、塩酸１％水溶液にて洗浄し、次いで石油エーテルにて再沈精製し、真空乾燥し、樹脂Ａ−２の１４０ｇを得た。
［撥インク剤（Ｂ）およびその比較例の合成］
【０１４０】
［合成例３］
樹脂Ａ−１の合成において、原料の配合量を表２のように変更したほかは同様にして、樹脂Ｂ−１を得た。
【０１４１】
［合成例４］
樹脂Ａ−２の合成において、原料の配合量を表２のように変更したほかは同様にして、樹脂Ｂ−２を得た。
【０１４２】
［合成例５］
樹脂Ａ−１の合成において、原料の配合量を表２のように変更したほかは同様にして、樹脂Ｂ−３を得た。
【０１４３】
［合成例６］
温度計、撹拌機、加熱装置を備えた内容量３００ｍＬのガラス製フラスコに、重合体５の１００ｇ、ＥＣＡの４２．４ｇ、ＭＩＢＫの１００ｇを仕込み、撹拌しながら、５０℃で４８時間重合させ、樹脂Ｂ−４の溶液を得た。該樹脂Ｂ−４の数平均分子量は１００００であった。
得られた樹脂Ｂ−４のアセトン溶液に水を加え再沈精製し、次いで石油エーテルにて再沈精製し、真空乾燥し、樹脂Ｂ−４の１４０ｇを得た。
【０１４４】
［合成例７］
樹脂Ａ−１の合成において、原料の配合量を表２のように変更したほかは同様にして、樹脂Ｂ−５を得た。
【０１４５】
［合成例８］
樹脂Ａ−１の合成において、原料の配合量を表２のように変更したほかは同様にして、樹脂Ｂ−６を得た。
【０１４６】
［合成例９］
樹脂Ａ−２の合成において、原料の配合量を表２のように変更したほかは同様にして、樹脂Ｂ−７を得た。
【０１４７】
［合成例１０］
樹脂Ａ−１の合成において、原料の配合量を表２のように変更したほかは同様にして、樹脂Ｂ−８を得た。
【０１４８】
［合成例１１］
撹拌機を備えた内容積０．３Ｌのオートクレーブに、ＥＥＡの１００．０ｇ、ＧＭＡの４０．０ｇ、ＴＦＥＭＡの６０．０ｇおよび重合開始剤ベンゾイルパーオキサイドの３．０ｇを仕込み、窒素雰囲気下に撹拌しながら、７５℃で５時間重合させ、重合体１０の５０％溶液を得た。
次いで、温度計、撹拌機、加熱装置を備えた内容量５００ｍＬのガラス製フラスコに、該重合体１０の５０％溶液の３００ｇ、ＡＡの２６．９ｇ、メチルヒドロキノンの０．１６ｇおよびトリフェニルホスフィンの０．９ｇを仕込み、９５℃で３２時間重合させ、さらに無水コハク酸の４９．８ｇ、ＥＥＡの７９．４ｇを追加で仕込み、９０℃で１０時間重合させ、樹脂Ｂ−９の溶液を得た。樹脂Ｂ−９の数平均分子量は２００００であった。
得られた樹脂Ｂ−９のＥＥＡ溶液に水を加え再沈精製し、次いで石油エーテルにて再沈精製し、真空乾燥し、樹脂Ｂ−９の２２０ｇを得た。該樹脂Ｂ−９の含フッ素割合は１１．５％である。
【０１４９】
［合成例１２］
樹脂Ａ−１の合成において、原料の配合量を表２のように変更したほかは同様にして、樹脂Ｂ−１０を得た。
【０１５０】
【表１】
2010217910.tif 000002
【０１５１】
【表２】
2010217910.tif 000003
【０１５２】
［ネガ型感光性樹脂組成物の評価］
表３、４に示す割合で、樹脂Ａ−１、Ａ−２、樹脂Ｂ−１〜Ｂ−１０、光重合開始剤（Ｃ）、ラジカル架橋剤（Ｄ）、シランカップリング剤（Ｅ）、希釈剤（Ｆ）、熱硬化剤（Ｇ）および必要に応じその他成分を配合して例１〜１７のネガ型感光性樹脂組成物を得た。
次に、ガラス基板上にスピンナーを用いて、ネガ型感光性樹脂組成物を塗布した後、１００℃で２分間ホットプレート上でプリベークし、膜厚３．０μｍの塗膜を形成した。
その後、塗膜にマスク（ライン／スペース＝２０μｍ／２０μｍ）を接触させ、超高圧水銀灯により１５０ｍＪ／ｃｍ２照射し、次いで未露光部分を０．１重量％テトラメチルアンモニウムヒドロキシド水溶液に４０秒間浸漬し現像し、未露光部を水により洗い流し、乾燥させた。次いで、ホットプレート上、２２０℃で１時間加熱することにより、パターンが形成されたガラス基板を得た。
パターンが形成されたガラス基板について、以下の方法で、撥インク性、撥インク持続性、現像性の評価を行なった。その結果を表３、４にまとめて示す。
【０１５３】
撥インク性：ガラス基板に形成されたパターンの樹脂部分の水およびキシレンの接触角を測定した。
撥インク持続性：パターンが形成されたガラス基板を５ｍｍ／ｓｅｃの一定速度で試料台上を搬送させながら、高圧噴射装置として超高圧ジェット精密洗浄システムＡＦ５４００Ｓ（旭サナック（株）製）を使用して扇状に拡がる薄層の水噴射を試料に施した。超高圧マイクロジェットは、扇状の噴射面が、試料の進行方向に直角であり、かつ試料面に垂直な方向に噴射した。また、そのときの超高圧マイクロジェットの印加圧力は、１５０ｋｇｆ／ｃｍ２（１４．７ＭＰａ）とした。水洗後のガラス基板の形成されたパターンの樹脂部分の水およびキシレンの接触角を測定した。
現像性：現像できたものを○、ライン／スペースのパターンは形成できたが、ライン／スペースのライン部分の一部が断絶したり、曲がったり、折れ曲がったりしたものについては△、ライン／スペースのパターンが形成できなかったものについては×とした。
基材密着性：ＪＩＳ  Ｋ  ５４００記載の碁盤目テープ法により評価した。塗板をカッターにて、２ｍｍ間隔でます目の数が２５個となるように、碁盤目状に傷を付けた。次に粘着テープを貼り、剥がした後の塗膜の付着状態を目視により、ます目が殆ど剥がれたものを×、ます目が剥がれなかったものを○として評価した。
【０１５４】
【表３】
2010217910.tif 000004
【０１５５】
【表４】
2010217910.tif 000005
【産業上の利用可能性】
【０１５６】
本発明によれば、ガラス基材等との密着性に優れ、撥インク性およびその持続性が高く、後工程にて洗浄工程等を経た場合にも撥インク性能が低下することがなく、さらに、優れたアルカリ溶解性、現像性を有する隔壁形成用ネガ型感光性樹脂組成物を提供できる。したがって、本発明の隔壁形成用ネガ型感光性樹脂組成物は、基材密着性や撥インク性が要求される、インクジェット方式の液晶用カラーフィルタ又は有機ＥＬディスプレイ等の隔壁、半導体装置又は電気回路における配線パターンの製造等に好適に用いられる。